(57)【要約】【課題】より使い勝手の良い葉書写真立てを提供する。【解決手段】葉書写真立て１の裏面１０に形成されている紙葉類を収容する収容部１１は四方の一辺を裏面１０に固定され残る三辺が自由端となっている透明樹脂フィルム１２と、裏面１０の周辺部に設けれれた剥離紙付きの粘着部１４と、複数枚の紙葉類を収容する場合は粘着部１４の下の所定の厚さの枠部１３とで構成される。写真等の紙葉類複数枚を収容部１１に入れた後、剥離紙を取り除いた粘着部１４に透明樹脂フィルム１２の周囲を上から押さえつけて収容部１１を封止する。紙葉類が１枚のときは枠部１３が無い代わりに紙葉類固定用の剥離紙付きの粘着部１８（図８）が三角片部９が設けられている以外の箇所に設けられる。表側の宛名記入面５に宛名と差出人の住所氏名を記入し切手添付面６に所定の料金の切手を貼って投函する。受取人は三角片部９を折り出して机や棚の上に写真立てとして飾って眺めて楽しむことができる。【選択図】図３
2006015714.tif 000002
【特許請求の範囲】
【請求項１】
郵便葉書として使用可能であり、裏面に紙葉類を収容する収容部が設けられ、表面に宛名と通信文の記入面が設けられると共に一部を切り離して折り曲げ可能な三角片部が設けられた葉書写真立てであって、
前記収容部は、四方の一辺を前記裏面に固定され残る三辺が自由端であり前記裏面の全面を覆う透明樹脂フィルムと、前記裏面の周囲に所定の幅と所定の厚さで固設された枠部と、該枠部に形成された粘着部と、
を有することを特徴とする葉書写真立て。
【請求項２】
前記収容部は、四方の一辺を前記裏面に固定され残る三辺が自由端であり前記裏面の全面を覆う透明樹脂フィルムと、前記裏面の周囲に沿って所定の幅で形成された粘着部と、
を有することを特徴とする請求項１記載の葉書写真立て。
【請求項３】
前記収容部は、四方の一辺を前記裏面に固定され残る三辺が自由端であり前記裏面の周辺部を所定の幅で覆う額縁状部材と、前記裏面の周囲に所定の幅で形成された粘着部と、
を有することを特徴とする葉書写真立て。
【請求項４】
前記紙葉類は、写真、画像、絵を手書きされた用紙などであることを特徴とする請求項１、２又は３記載の葉書写真立て。
【請求項５】
前記透明樹脂フィルムは、ＰＥＴ（ポリ・エチレン・テレフタレート）フィルムであることを特徴とする請求項１又は２記載の葉書写真立て。
【請求項６】
前記粘着部は、前記透明樹脂フィルム又は前記額縁状部材の自由端三辺に対応する面に剥離紙を備えていることを特徴とする請求項１、２又は３記載の葉書写真立て。
【請求項７】
前記剥離紙を備えた粘着部は、前記自由端三辺に対応する面にそれぞれ独立に設けられることを特徴とする請求項６記載の葉書写真立て。
【請求項８】
前記剥離紙は、少なくとも一方の端部に前記裏面よりも外部に突出する抓み部を備えていることを特徴とする請求項６又は７記載の葉書写真立て。
【請求項９】
前記剥離紙は、少なくとも一方の端部に前記裏面の内側に折り返した抓み部を備えていることを特徴とする請求項６又は７記載の葉書写真立て。
【請求項１０】
前記剥離紙は、少なくとも一箇所に切り込みが形成されていることを特徴とする請求項６又は７記載の葉書写真立て。
【請求項１１】
四方の角部を所定の半径から成る円弧状に形成されていることを特徴とする請求項１、２、又は３記載の葉書写真立て。
【請求項１２】
前記円弧状の前記半径は少なくとも１ｍｍ以上であることを特徴とする請求項１１記載の葉書写真立て。
【請求項１３】
前記収容部は、前記三角片部が設けられている以外の箇所に紙葉類固定用の粘着部を備えていることを特徴とする請求項１、２又は３記載の葉書写真立て。
【請求項１４】
前記粘着部は、剥離紙を備えていることを特徴とする請求項１３記載の葉書写真立て。
【請求項１５】
前記枠部の前記所定の厚さは、前記紙葉類の少なくとも１枚分以上の厚さであることを特徴とする請求項１記載の葉書写真立て。
【請求項１６】
前記透明樹脂フィルムは、表面又は裏面の四方周辺部に単色又は複数色による縁飾り印刷が施されていることを特徴とする請求項１又は２記載の葉書写真立て。
【請求項１７】
前記縁飾り印刷は、白引きが施されていることを特徴とする請求項１６記載の葉書写真立て。
【発明の詳細な説明】
【技術分野】
【０００１】
郵便葉書がそのまま写真立てになる葉書写真立てに関する。
【背景技術】
【０００２】
郵便葉書の通常は通信文の書き込み面となる裏面に任意の写真や画像を固定し、その郵便葉書の通常は宛名の書き込み面となる表面を絵葉書の表面のように上半分を切手添付部と宛名書き部とし、下半分を通信文の書き込み部として、その表面の適宜の箇所に、一部を切り離して折り曲げ可能なフラップ部を設け、この郵便葉書を受け取った人が葉書表面のフラップ部を開いてそのフラップを支えとし、裏面に固定されている写真又は画像を表に向けて写真立てとして楽しむ、というポストカードが実用化されている。このポストカードの裏面には、写真等を固定するために、アルバム帳などに見られるような自己粘着性の透明樹脂フィルムが設けられている。（例えば、特許文献１参照。）
【特許文献１】実用新案登録第３０２３３４７号（［要約］、図２、図３）
【発明の開示】
【発明が解決しようとする課題】
【０００３】
ところで、上記のポストカードは、自己粘着性の透明樹脂フィルムの下に所望の写真を挿し込んで写真立てとして楽しむこと以外には何らの工夫もなされていない。
本発明の課題は、上記従来の実情に鑑み、より使い勝手の良い葉書写真立てを提供することである。
【課題を解決するための手段】
【０００４】
本発明の葉書写真立ては、郵便葉書として使用可能であり、裏面に紙葉類を収容する収容部が設けられ、表面に宛名と通信文の記入面が設けられると共に一部を切り離して折り曲げ可能な三角片部が設けられた葉書写真立てであって、上記収容部は、四方の一辺を上記裏面に固定され残る三辺が自由端であり上記裏面の全面を覆う透明樹脂フィルムと、上記裏面の周囲に所定の幅と所定の厚さで固設された枠部と、該枠部に形成された粘着部と、を有して構成される。
【０００５】
上記収容部は、例えば、四方の一辺を上記裏面に固定され残る三辺が自由端であり上記裏面の全面を覆う透明樹脂フィルムと、上記裏面の周囲に沿って所定の幅で形成された粘着部と、を有するだけで構成してもよく、また、例えば、四方の一辺を上記裏面に固定され残る三辺が自由端であり上記裏面の周辺部を所定の幅で覆う額縁状部材と、上記裏面の周囲に所定の幅で形成された粘着部と、を有するように構成してもよい。
【０００６】
この葉書写真立てにおいて、上記紙葉類は、例えば、写真、画像、絵を手書きされた用紙などである。また、上記透明樹脂フィルムは、ＰＥＴ（ポリ・エチレン・テレフタレート）フィルムであることが環境衛生上で好ましい。
【０００７】
また、上記粘着部は、上記透明樹脂フィルム又は上記額縁状部材の自由端三辺に対応する面に剥離紙を備えている。この場合、上記剥離紙を備えた粘着部は、上記自由端三辺に対応する面にそれぞれ独立に設けられるようにしてもよい。
【０００８】
また、上記剥離紙は、少なくとも一方の端部に上記裏面よりも外部に突出する抓み部を備えているように構成してもよく、また、例えば、少なくとも一方の端部に上記裏面の内側に折り返した抓み部を備えているように構成してもよく、また、例えば、少なくとも一箇所に切り込みが形成されているように構成してもよい。
【０００９】
また、この葉書写真立てにおいては、例えば、四方の角部が所定の半径から成る円弧状に形成されていることが好ましい。この場合、上記円弧状の上記半径は、例えば、少なくとも１ｍｍ以上であることが好ましい。
【００１０】
また、上記収容部は、上記三角片部が設けられている以外の箇所に紙葉類固定用の粘着部を備えているようにしてもよい。この場合、上記粘着部は、剥離紙を備えているようにするとよい。
【００１１】
また、上記枠部を設ける場合は、その枠部の上記所定の厚さは、上記紙葉類の少なくとも１枚分以上の厚さであることが好ましい。
【発明の効果】
【００１２】
本発明によれば、紙葉類収容部に枠部又は粘着部を設けているので、葉書写真立てとして長期にわたって使用しても収容した紙葉類が脱落する虞がない。
また、剥離紙の少なくとも一方の端部に枠部よりも外部に突出する又は内部に折り返した抓み部を備えているので、最初に使用するに際して粘着部から剥離子を抓み部によって容易に剥離することができる。
【００１３】
また、上記枠を設ける場合は、枠部の厚さを少なくとも紙葉類の１枚分以上の厚さに構成されるので、複数枚の紙葉類を収容した郵便葉書として郵送することもでき、これにより、受け取り人は写真立てとして使用して複数枚の紙葉類を取り替えながら楽しむことができる。
【００１４】
また、四隅にＲを形成してあり使用中に手などを傷つける虞がないので、幼児や児童でも安心して取り扱うことができて使用範囲が拡大する。
このように、より使い勝手の良い葉書写真立てを提供することが可能となる。
【発明を実施するための最良の形態】
【００１５】
以下、本発明の実施の形態を図面を参照しながら説明する。
図１(a),(b) は、本発明の葉書写真立ての各実施例にそれぞれ共通する表面の基本構成を示す図である。先ず、同図(a) に示すように、葉書写真立て１の表面は、長手方向のほぼ中央に印刷された細かい破線２によって、上領域３と下領域４に仕切られている。
【００１６】
尚、葉書写真立て１を、横書きで郵送するときは、上記の上領域３は右領域となり、下領域４は左領域となるが、ここでは上領域と下領域ということにする。
上記の上領域３は、宛名記入面５と切手添付面６として用いられ、下領域４は、通信文の記入面として用いられる。
【００１７】
この、葉書写真立て１の表面は、目には定かに見えないが、同図(b) に示すように、上領域３を大きく占め、下領域４にやや跨って、三本のミシン目状の切り込み７（７−１、７−２、７−３）と、押し型による浅い凹部８（８−１、８−２）とによって、２つの三角片部９（９−１、９−２）が向かい合った形状の部分が形成されている。
【００１８】
尚、押し型による浅い凹部８は、必ずしも形成しなければならないものではないが、有ったほうが、写真立てを作る際の取り扱いが容易である。
図２(a),(b) は、葉書写真立て１によって、実際に写真立てを作った状態を出来上がった写真立ての裏側（郵便葉書としての葉書写真立て１では表面）から見た図である。
【００１９】
図２(a) は、図１(b) において、三本のミシン目状の切り込み７のうち、対角線を走る切り込み７−２と上部を横に走る切り込み７−１とを切り離して、斜め上の三角片部９−１を凹部８−１に沿って左横に折り出したものである。これにより、折り出した三角片部９−１を支えとして、図２(a) に示すように、葉書写真立て１を縦置きの写真立てとして用いることができる。
【００２０】
また、図２(b) は、図１(b) において、三本のミシン目状の切り込み７のうち、対角線を走る切り込み７−２と右横を縦に走る切り込み７−３とを切り離して、斜め下の三角片部９−２を凹部８−２に沿って下に折り出したものである。これにより、折り出した三角片部９−２を支えとして、図２(b) に示すように、葉書写真立て１を横置きの写真立てとして用いることができる。
【００２１】
そして、この葉書写真立て１は、裏面に紙葉類を収容する収容部が設けらている。以下この収容部の構成について説明する。
【実施例１】
【００２２】
図３(a) は、葉書写真立て１の裏面に設けられている実施例１としての収容部の外観を示す図であり、同図(b) は構成を示す図、同図(c) は使用に際しての処理の態様を示す図である。
【００２３】
同図(a),(b),(c) に示すように、葉書写真立て１の裏面１０の収容部１１は、裏面１０の全面を覆う透明樹脂フィルム１２と、裏面の周囲に所定の幅と所定の厚さで固設された枠部１３と、この枠部１３の周囲に形成された粘着部１４とを有している。この収容部１１は、紙葉類としての例えば写真、画像、絵を手書きされた用紙などを収容するために設けられている。
【００２４】
上記の透明樹脂フィルム１２は、廃棄時に燃やしても有毒ガスの出ない環境に優しい例えばＰＥＴ（ポリ・エチレン・テレフタレート）樹脂等からなり、裏面１０と同一の面積を有する直方形のフィルムであり、同図(b),(c) に示すように、四方の一辺（同図に示す例では長辺、勿論短辺であっても良い）を裏面１０に固定され残る三辺が自由端となって裏面１０に取り付けられている。
【００２５】
枠部１３は、裏面１０四方の縁部で裏面１０と透明樹脂フィルム１２との間に配置されており、所定の幅ａ、ｂと所定の厚さを有している。例えば、この葉書写真立て１の縦横の寸法（裏面１０の寸法でもある）が１６９ｍｍ×１１７ｍｍであるとすると、枠部１３の幅ａは２１ｍｍ、幅ｂは１４ｍｍにするとよい。そうすると、この枠内の大きさが、ちょうど焼き増し写真の小判のサイズに相当する大きさとなる。
【００２６】
また、枠部１３の厚さを、本例の場合では例えば少なくとも写真１枚分以上の厚さとなるように形成する。例えば枠部１３の厚さを写真１枚分程度の厚さとすることにより、この収容部１１に収容された一枚の写真は、枠部１３により四方を支持されて容易には収容部１１から脱落することがない。
【００２７】
この枠部１３の周囲には、上述したように同図(c) に示す粘着部１４が形成されており、この粘着部１４には、透明樹脂フィルム１２の自由端三辺に対応する面に剥離紙１５（１５−１、１５−２、１５−３）が設けられている。これらの剥離紙１５は、透明樹脂フィルム１２の自由端三辺に対応する面にそれぞれ剥離紙１５−１、１５−２、及び１５−３として独立に設けられている。
【００２８】
これらの剥離紙１５は、その少なくとも一方の端部に、枠部１３の内側に折り返した抓み部１６を備えている。これにより、枠部１３内に写真等を収容した後、上記の抓み部１６の折り返しを開いて指先で抓んで、これらの剥離紙１５を容易に粘着部１４から剥ぎ取って、取り除くことができる。
【００２９】
その後、透明樹脂フィルム１２の上から周囲をしっかりと粘着部１４に押さえつけ、それまで自由端であった透明樹脂フィルム１２の残りの三辺で収容部１１を封止する。
この葉書写真立て１は、同図(a),(b),(c) に示すように、四方の角部が所定の半径から成る円弧状（Ｒ）に形成されている。このこの円弧状（Ｒ）の半径は少なくとも１ｍｍ以上であることが望ましい。これにより、上述した葉書写真立て１の投函郵送前の各種の手作業による処理を、葉書写真立て１の角で手などに傷を負おうような畏れなく、子供でも容易に行うことができる。
【００３０】
この後、葉書写真立て１の表側の、図１(a),(b) に示した宛名記入面５に宛名と差出人の住所氏名を記入し、切手添付面６に所定の料金の切手を貼り、これを郵便ポストに投函する。
【００３１】
この葉書写真立て１の受取人は、図１(b) 及び図２(a),(b) で説明したようにして、この葉書写真立て１を、机や棚の上に写真立てとして飾って眺めて楽しむことができる。
尚、上記の例では、収容部１１に収容する紙葉類を１枚としたが、これに限ることなく、透明樹脂フィルム１２で封止できる範囲であれば２枚以上であってもよい。この場合、この葉書写真立て１を受け取った人は、２枚以上の紙葉類（例えば写真）の中から好みのもの１枚を用いて図２(a),(b) のように写真立てを組み立て、残りの写真を別に保管するか、上記好みの一枚の裏側に重ねておけばよい。
【実施例２】
【００３２】
ところで、上記の例では、剥離紙１５の少なくとも一方の端部に形成した抓み部１６を枠部１３の内側に折り返すようにしてしているが、折り返しを開くのさえ面倒であるいうような人のためには、剥離紙１５の少なくとも一方の端部に形成される抓み部１６を、枠部１３よりも外部に突出させたほうが取り扱い易くなる。
【００３３】
図４(a) は、そのような抓み部１６を形成された剥離紙の形状を有する実施例２としての収容部１１−２の構成を示す図であり、同図(b) は使用に際しての処理の態様を示す図である。同図(a),(b) に示すように、剥離紙１５（１５−１、１５−２、１５−３）は、少なくとも一方の端部に枠部１３よりも外部に突出する抓み部１６を備えている。
【００３４】
これにより、折り返し部を開く手数が掛からず、枠部１３よりも外部に突出している抓み部１６を指先で抓んで直ちに剥離紙１５を粘着部１４から剥ぎ取って容易に取り除くことができる。その後の処理は実施例１の場合と同様である。
【実施例３】
【００３５】
図５は、実施例３としての収容部１１−３の構成を示す図である。尚、同図には、図３及び図４に示した構成と同一の構成部分には図３及び図４と同一の番号を付与して示している。
【００３６】
図５において、枠部１３は、剥離紙１５の下になっていて見えないが、剥離紙１５と同一の幅で形成されている。つまり、その上の粘着部１４も、剥離紙１５の下になっていて見えないが剥離紙１５と同一の幅で形成されている。この構成は、一方の面（剥離紙側の面）を再剥離可能に構成された両面粘着テープのテープ基材をそのまま枠部１３としたものである。
【００３７】
現今では、葉書一枚程度の厚さから１ｃｍを越える厚さの種々の厚さの両面粘着テープが市場に出回っており、それらの中から、適切なものを選択して、本例の枠部１３、粘着部１４、及び剥離紙１５として使用することができる。
【００３８】
また、本例では、上記構成の枠部１３の内側を、収容する写真等の縁取りの背景となる彩色部１７が形成されている。この彩色部１７は、葉書写真立て１の裏面に直接所定の範囲で印刷等で彩色したものである。
【００３９】
これにより、枠部１３の内側の寸法に拘ることなく、枠部１３の内側の寸法以内の寸法の紙葉類であれば（但し彩色部１７よりも内側になるほど小さいものであると困るが）どのような寸法または形状の紙葉類でも、周囲の余白が彩色してあるので余白が出来ても不自然な感じが無く、寸法または形状の異なる紙葉類を安心して収容して用いることができる。
【００４０】
尚、上記四辺の彩色部１７において、短辺の彩色部１７の幅ｃと、長辺の彩色部１７の幅ｄは、本例の場合はｃ＝ｄ≒２５ｍｍに設定してあるが、勿論、この寸法に限るものではない。また、この彩色部１７には、単に一色で彩色するのではなく、絵柄を印刷すると例えば特に子供向けの写真立てとして用いるときに喜ばれることは疑いが無い。
【００４１】
また、本例の構成において、図５に示すように、裏面１０の三角片９−１及び９−２に当たる部分以外の適宜の位置に、これも例えば両面粘着テープ等からなる粘着部１８を配置するようにすると、枠部１３の内側寸法よりも小さな紙葉類を収容した場合でも、中央部からずり落ちることがない。
【００４２】
この粘着部１８は、葉書写真立て１を販売する店頭においては、葉書写真立て１の裏面１０の上記適宜の位置に、上部に剥離紙を付けた状態で配設するようにしてもよく、また、純正の添付部品として葉書写真立て１とは別体で顧客に提供するようにしてもよい。
【実施例４】
【００４３】
図６は、実施例４としての収容部１１−４の構成を示す図である。尚、同図には、図５に示した構成と同一の構成部分には図５と同一の番号を付与して示している。
図６において、この場合も剥離紙１５の下に同一幅の粘着部１４、粘着部１４にこれも同一幅の枠部１３が形成されている。また、本例では、図５に示した裏面１０の適宜の位置の粘着部１８の図示を省略している。
【００４４】
この図６に示す実施例４としての収容部１１−４は、剥離紙１５が、透明樹脂フィルム１２の自由端三辺に対応する面にそれぞれ独立に設けられるのではなく、三辺に共通する一本の剥離紙１５として三辺に貼り回されている。
【００４５】
そして、その剥離紙１５の少なくとも一方の端部に枠部１３の内側に折り返した抓み部１６−１を備えているように構成される。また、この場合も面倒がり屋な人のことを考慮して、剥離紙１５の少なくとも一方の端部に枠部１３よりも外部に突出する抓み部１６−２を備えるようにしてもよい。
【００４６】
勿論、折り返した形状の抓み部１６−１のみをいずれか一端のみ又は両端に形成するようにしてもよく、また突出した形状の抓み部１６−２のみをいずれか一端のみ又は両端に形成するようにしてもよい。
【実施例５】
【００４７】
図７(a) は、同図(b) と共に実施例５としての収容部１１−５の構成を示す図であり、同図(c) は、同図(b) と共にその使用方法を説明する図である。同図(a),(b) に示すように、本例の収容部１１−５は、実施例１〜４の場合と同様に、ＰＥＴ（ポリ・エチレン・テレフタレート）樹脂等からなり、裏面１０と同一の面積を有する直方形のフィルムで、四方の一辺を裏面１０に固定され残る三辺が自由端となってい透明樹脂フィルム１９が配設されている。
【００４８】
ただし、本例の場合は、透明樹脂フィルム１９は、全体が透明ではなく、四方の縁部に所定の幅の彩色部２１が形成されている。尚、この彩色部２１は、透明樹脂フィルム１９の表側に印刷してもよく、また裏側に印刷するようにしてもよい。また、単色の彩色ではなく絵柄を印刷するようにしてもよい。
【００４９】
また、本例の収容部１１−５は、上記透明樹脂フィルム１９の彩色部２１の幅に対応する裏面１０の位置に、剥離紙２２と、この剥離紙２２の下になって同図(b) では見えないが同図(c) に示す粘着部２３と、この粘着部２３の下に在る枠部２４を備えている。
【００５０】
この場合も、剥離紙２２、粘着部２３、及び枠部２４は、適宜の厚さの剥離面が再接着可能な構成の市販の両面粘着テープを用いて構成することができる。本例の剥離紙２２は本質的に三辺に共通する一本の剥離紙２２が三辺に貼り回されているものであるが、少なくとも一箇所（本例では二箇所）に切り込み２５が形成されている。
【００５１】
また、枠部２４の厚さは、紙葉類が例えば少なくとも５枚以上収容可能な厚さで構成されている。したがって、例えば同図(b) に示すように、５枚の写真２６を、枠部２４の内部に収容することができる。
【００５２】
そのように、この葉書写真立て１の発送人が受取人に見せたい写真、又は受取人が好みそうな写真等を５枚重ねて入れた後、同図(b) に示す切り込み２５の部分から剥離紙２２を同図(c) に示すように粘着部２３から引き剥がして取り除き、透明樹脂フィルム１９の上から周囲をしっかりと粘着部２３に押さえつけて、それまで自由端であった透明樹脂フィルム１９の残りの三辺で収容部１１−５を封止する。
【００５３】
尚、このように封止した後、封止した三辺の適宜の箇所を、透明シールを表裏から挟むように貼って補強するようにしてもよい。この場合、透明シールは添付部品として提供するようにするとよい。
【００５４】
この後、葉書写真立て１の表側の、図１(a),(b) に示した宛名記入面５に、宛名と差出人の住所氏名を記入し、切手添付面６に所定の料金の切手を貼り、これを郵便ポストに投函する。
【００５５】
この葉書写真立て１の受取人は、一旦透明樹脂フィルム１９の三辺を引き開けて、５枚の写真２６の中の先ず一番気に入ったものを５枚の一番上に持ってきて、再び収容部１１−５を封止し、図１(b) 及び図２(a),(b) で説明したようにして、この葉書写真立て１を、机や棚の上に写真立てとして飾って眺めて楽しむことができる。
【００５６】
しばらくしてから、再び透明樹脂フィルム１９の三辺を引き開けて、他の４枚の写真の中から気に入ったものを一番上に入れ替えて、封止し、再び写真立てとして飾って眺めて楽しむことができる。
【実施例６】
【００５７】
図８は、実施例６としての収容部１１−６の構成を示す図である。尚、同図には、図３及び図５に示した構成と同一の構成部分には図３及び図５と同一の番号を付与して示している。
【００５８】
同図に示すように、本例の収容部１１−６は、四方の一辺１２−１を裏面１０に固定され残る三辺が自由端であり裏面１０の全面を覆う透明樹脂フィルム１２と、この透明樹脂フィルム１２の自由端三辺に対応する裏面１０の周囲に沿って所定の幅で形成された剥離紙付きの粘着部１４と、三角片部９が設けられている以外の箇所に紙葉類を固定するために配設された小さな剥離紙付きの粘着部１８とを備えている。
【００５９】
この葉書写真立ての発送人は、先ず透明樹脂フィルム１２を開き、粘着部１８の剥離紙を剥がして取り除き、受取人に見せたい写真などの紙葉類１枚を差し入れて粘着部１８に固定し、三箇所の粘着部１４の剥離紙を剥がし取り、透明樹脂フィルム１２の周囲を上から粘着部１４に押さえつけて、それまで自由端であった透明樹脂フィルム１２の残りの三辺で収容部１１−６を封止する。
【００６０】
尚、この場合も封止した後、封止した三辺の適宜の箇所を、透明シールを表裏から挟むように貼って補強するようにしてもよい。この場合も、透明シールは添付部品として提供するようにするとよい。
【００６１】
この後、葉書写真立ての表側の、図１(a),(b) に示した宛名記入面５に、宛名と差出人の住所氏名を記入し、切手添付面６に所定の料金の切手を貼り、これを郵便ポストに投函する。
【実施例７】
【００６２】
図９は、実施例７としての収容部１１−７の構成を示す図である。尚、同図には、図８に示した構成と同一の構成部分には図８と同一の番号を付与して示している。同図に示すように、本例の収容部１１−７は、四方の一辺２７−１を裏面１０に固定され残る三辺が自由端であり裏面１０の周辺部を所定の幅で覆う額縁状部材２７と、この額縁状部材２７の自由端三辺に対応する裏面１０の周囲に沿って所定の幅で形成された剥離紙付きの粘着部１４とを備えている。
【００６３】
なお、本例の場合も、必要に応じて三角片部９が設けられている以外の箇所に図８に示したような紙葉類を固定するための小さな剥離紙付きの粘着部１８を設けるようにしてもよい。また、上記の枠状部材２７は、薄くて丈夫な色柄付き紙類が好ましいが、色柄付きであれば樹脂フィルムであってもよい。
【００６４】
この葉書写真立ての発送人は、先ず額縁状部材２７を開き、受取人に見せたい写真などの紙葉類１枚を差し入れる。この場合、紙葉類は額縁状部材２７の内枠の寸法よりも大きなものであることが肝要である。しかるのち、三箇所の粘着部１４の剥離紙を剥がし取り、額縁状部材２７の周囲を上から粘着部１４に押さえつけて、それまで自由端であった額縁状部材２７の残りの三辺を粘着部１４に固定する。
【００６５】
この場合も封止した後、封止した三辺の適宜の箇所を、透明シールを表裏から挟むように貼って補強するようにしてもよい。この場合も、透明シールは添付部品として提供するようにするとよい。
【００６６】
この後、葉書写真立ての表側の、図１(a),(b) に示した宛名記入面５に、宛名と差出人の住所氏名を記入し、切手添付面６に所定の料金の切手を貼り、これを郵便ポストに投函する。
【００６７】
尚、額縁状部材２７だけでは枠内に露出している写真等の紙葉類に、郵送中に傷がつくことを嫌う場合には、裏面全面を覆う樹脂フィルムを額縁状部材２７と一体に設けるようにしてもよい。
【００６８】
また、図１(b) 又は図２(a),(b) に示した三角片９（９−１、９−２）の形状は、三角形に限ることなく、例えば、恐竜、動物、植物等を象った形状のものとしてもよい。
また、上述の実施例１〜７では、剥離紙と粘着部との形状関係について特には説明しなかったが、剥離紙は剥離して取り除かれるまでの間だけ少なくとも粘着部を覆っていればよいので、粘着部の面積と同等以上の大きさであればよい。すなわち、同等以上の大きさとする場合、抓み部のように剥離紙の長手方向に大きくしてもよく、あるいは剥離紙の短手方向に広げるようにしても良い。いずれにしても剥離紙を剥離する作業が容易となる。
【００６９】
また、透明樹脂フィルム１２又は１９において、全体を透明とせずに四方の縁部に所定の幅の彩色部を形成する場合、この彩色部は透明樹脂フィルム１２又は１９の表側に印刷してもよくまた裏側に印刷するようにしてもよいこと、及び単色の彩色でもよく絵柄を印刷してもよいことは既に述べたが、いずれにしても、下地に白引き（白打ちともいう）を施すと、透明樹脂フィルムの場合には特にカラー印刷インクが透明性のインクの場合、色が鮮やかに浮き出るだけでなく、最初からの糊付け部分及び後からの粘着付け部分の変色が目立たなくなる好ましい構成とすることができる。
【図面の簡単な説明】
【００７０】
【図１】(a),(b) は本発明の葉書写真立ての各実施例にそれぞれ共通する表面の基本構成を示す図である。
【図２】(a),(b) は葉書写真立てによって実際に写真立てを作った状態を出来上がった写真立ての裏側から見た図である。
【図３】(a) は実施例１としての葉書写真立ての裏面に設けられている収容部の外観を示す図であり、(b) は構成を示す図、(c) は使用に際しての処理の態様を示す図である。
【図４】(a) は実施例２としての抓み部を形成された剥離紙の形状を有する収容部の構成を示す図であり、(b) は使用に際しての処理の態様を示す図である。
【図５】実施例３としての葉書写真立ての裏面に設けられる収容部の構成を示す図である。
【図６】実施例４としての葉書写真立ての裏面に設けられる収容部の構成を示す図である。
【図７】(a) は(b) と共に実施例５としての葉書写真立ての裏面に設けられる収容部の構成を示す図であり、同図(c) は、同図(b) と共にその使用方法を説明する図である。
【図８】実施例６としての葉書写真立ての裏面に設けられる収容部の構成を示す図である。
【図９】実施例７としての葉書写真立ての裏面に設けられる収容部の構成を示す図である。
【符号の説明】
【００７１】
１      葉書写真立て
２      破線
３      上領域
４      下領域
５      宛名記入面
６      切手添付面
７（７−１、７−２、７−３）  ミシン目状切り込み
８（８−１、８−２）  凹部
９（９−１、９−２）  三角片部
１０    裏面
１１、１１−２、１１−３、１１−４、１１−５  収容部
１２    透明樹脂フィルム
１３    枠部
１４    粘着部
１５（１５−１、１５−２、１５−３）  剥離紙
１６（１６−１、１６−２）  抓み部
１７    彩色部
１８    粘着部
１９    透明樹脂フィルム
２１    彩色部
２２    剥離紙
２３    粘着部
２４    枠部
２５    切り込み
２６    写真
２７    枠状部材
【図１】
2006015714.tif 000003
【図２】
2006015714.tif 000004
【図３】
2006015714.tif 000005
【図４】
2006015714.tif 000006
【図５】
2006015714.tif 000007
【図６】
2006015714.tif 000008
【図７】
2006015714.tif 000009
【図８】
2006015714.tif 000010
【図９】
2006015714.tif 000011